(57)【特許請求の範囲】
【請求項１】
クライアント信号がマッピングされた信号転送用フレームをネットワークから受信して、受信した前記信号転送用フレームから前記クライアント信号を分離し、前記信号転送用フレームに含まれている前記クライアント信号の周波数調整情報に基づいて位相同期回路で生成したクロックを使用して、分離した前記クライアント信号をクライアント伝送路に送出する伝送装置において、
前記ネットワークから前記信号転送用フレームを受信できる場合に、前記信号転送用フレームに含まれている前記周波数調整情報を保持するメモリと、
前記ネットワークから前記信号転送用フレームを受信できない場合に、前記メモリに保持されている前記周波数調整情報を用いて前記位相同期回路にクロックを生成させる切替制御回路と、
を有し、
前記メモリは、複数の前記信号転送用フレームそれぞれに含まれている複数の前記周波数調整情報を受信した順に保持し、
前記切替制御回路は、前記メモリに保持されている複数の前記周波数調整情報のうち所定時間範囲の周波数調整情報を繰り返し読み出して前記位相同期回路にクロックを生成させ、
更に、前記信号転送用フレームを前記ネットワークの現用回線と予備回線から受信する受信回路を有し、
前記メモリは、前記ネットワークの現用回線から前記信号転送用フレームを受信できる場合に、前記信号転送用フレームに含まれている前記周波数調整情報を保持し、
前記切替制御回路は、前記ネットワークの現用回線から前記信号転送用フレームを受信できない場合に、前記メモリに保持されている前記周波数調整情報を用いて前記位相同期回路にクロックを生成させ、その後、前記ネットワークの予備回線から受信した信号転送用フレームに含まれている周波数調整情報に基づいて前記位相同期回路にクロックを生成させ、
更に、前記ネットワークから受信した信号転送用フレームを、前記ネットワークにおける信号転送用フレームの周波数調整情報を付加して装置の内部フレームにマッピングするマッピング回路と、
前記内部フレームから分離した前記信号転送用フレームより前記クライアント信号を分離する分離回路と、
を有し、
前記メモリは、前記ネットワークから前記信号転送用フレームを受信できる場合に、複数の前記内部フレームそれぞれに含まれている複数の前記信号転送用フレームの周波数調整情報と、複数の前記信号転送用フレームそれぞれに含まれている複数の前記クライアント信号の周波数調整情報とを受信した順に保持し、
前記切替制御回路は、前記ネットワークから前記信号転送用フレームを受信できない場合に、前記メモリに保持されている前記信号転送用フレームの周波数調整情報を用いて、前記メモリに保持されている前記クライアント信号の周波数調整情報を含む前記信号転送用フレームを生成し、生成した前記信号転送用フレームに含まれる前記クライアント信号の周波数調整情報を用いて前記位相同期回路にクロックを生成させる
ことを特徴とする伝送装置。
【請求項２】
クライアント信号がマッピングされた信号転送用フレームをネットワークから受信して、受信した前記信号転送用フレームから前記クライアント信号を分離し、前記信号転送用フレームに含まれている前記クライアント信号の周波数調整情報に基づいて位相同期回路で生成したクロックを使用して、分離した前記クライアント信号をクライアント伝送路に送出する伝送方法において、
前記ネットワークから前記信号転送用フレームを受信できる場合に、前記信号転送用フレームに含まれている前記周波数調整情報をメモリに保持し、
前記ネットワークから前記信号転送用フレームを受信できない場合に、前記メモリに保持されている前記周波数調整情報を用いて前記位相同期回路にクロックを生成させ、
前記メモリに、複数の前記信号転送用フレームに含まれている複数の前記周波数調整情報を受信した順に保持し、
前記メモリに保持されている複数の前記周波数調整情報のうち所定時間範囲の周波数調整情報を繰り返し読み出して前記位相同期回路にクロックを生成させ、
前記信号転送用フレームを前記ネットワークの現用回線と予備回線から受信し、
前記ネットワークの現用回線から前記信号転送用フレームを受信できる場合に、前記信号転送用フレームに含まれている前記周波数調整情報を前記メモリに保持し、
前記ネットワークの現用回線から前記信号転送用フレームを受信できない場合に、前記メモリに保持されている前記周波数調整情報を用いて前記位相同期回路にクロックを生成させ、その後、前記ネットワークの予備回線から受信した信号転送用フレームに含まれている周波数調整情報に基づいて前記位相同期回路にクロックを生成させ、
前記ネットワークから受信した信号転送用フレームを、前記ネットワークにおける信号転送用フレームの周波数調整情報を付加して装置の内部フレームにマッピングし、
前記内部フレームから分離した前記信号転送用フレームより前記クライアント信号を分離し、
前記ネットワークから前記信号転送用フレームを受信できる場合に、複数の前記内部フレームそれぞれに含まれている複数の前記信号転送用フレームの周波数調整情報と、複数の前記信号転送用フレームそれぞれに含まれている複数の前記クライアント信号の周波数調整情報とを受信した順に前記メモリに保持し、
前記ネットワークから前記信号転送用フレームを受信できない場合に、前記メモリに保持されている前記信号転送用フレームの周波数調整情報を用いて、前記メモリに保持されている前記クライアント信号の周波数調整情報を含む前記信号転送用フレームを生成し、生成した前記信号転送用フレームに含まれる前記クライアント信号の周波数調整情報を用いて前記位相同期回路にクロックを生成させる
ことを特徴とする伝送方法。
【発明の詳細な説明】
【技術分野】
【０００１】
本発明は、ネットワークから受信した信号転送用フレームからクライアント信号を分離してクライアント伝送路に送出する伝送装置及び伝送方法に関する。
【背景技術】
【０００２】
近年、インターネットトラヒックの爆発的増大に対応可能である波長多重伝送（ＷＤＭ）方式を前提とし、ＳＤＨ（Ｓｙｎｃｈｒｏｎｏｕｓ  Ｏｐｔｉｃａｌ  Ｎｅｔｗｏｒｋ）又はＳＯＮＥＴ（Ｓｙｎｃｈｒｏｎｏｕｓ  Ｄｉｇｉｔａｌ  Ｈｉｅｒａｒｃｈｙ）等の同期網のみならずＩＰ（Ｉｎｔｅｒｎｅｔ  Ｐｒｏｔｏｃｏｌ）又はイーサネット（登録商標）系の非同期網のクライアント信号を、エンド・エンドで通信をする際に、上位レイヤーが下位レイヤーを一切意識しなくて済む、所謂トランスペアレントに伝送するプラットフォームとして、ＯＴＮ（Ｏｐｔｉｃａｌ  Ｔｒａｎｓｐｏｒｔ  Ｎｅｔｗｏｒｋ：光転送ネットワーク）がＩＴＵ−Ｔにおいて勧告化されている。そのインタフェースやフレームフォーマットはＩＴＵ−Ｔの勧告Ｇ．７０９により標準化されており、商用システムへの導入が急速に進んでいる。
【０００３】
図１にＳＯＮＥＴ伝送システムの一例のネットワーク構成図を示す。図１において、伝送装置１Ａ，１Ｂ，１Ｃ，１Ｄはリングネットワークを構成し、実線で示すように時計方向に信号を伝送する現用回線（Ｗｏｒｋ）と、破線で示すように反時計方向信号を伝送する予備回線（Ｐｒｏｔｅｃｔｉｏｎ）の冗長構成である。伝送装置１Ｂ，１Ｃ，１Ｄそれぞれは伝送装置１Ａのマスタクロックに同期して動作する。
【０００４】
図２にＳＯＮＥＴ伝送システムの伝送装置の一例の構成図を示す。図２において、クライアント側インタフェースから入力された信号は、ＳＯＮＥＴフレーム同期回路２で終端された後、クロック乗換スタッフ生成回路３でクロック発振器４からのシステムクロックに乗り換えを行う。その後、ＳＯＮＥＴフレーム生成回路５でＳＯＮＥＴフレームにマッピングされ、ネットワーク側インタフェースよりネットワークに出力される。
【０００５】
同様に、ネットワーク側インタフェースからの入力信号は、ＳＯＮＥＴフレーム同期回路６で終端され、クロック乗換スタッフ生成回路７でクロック発振器４からのシステムクロックに乗り換えを行う。その後、クライアントフレーム生成回路８でクライアントフレームにマッピングされ、クライアント側インタフェースよりクライアント伝送路に出力される。
【０００６】
ネットワーク側インタフェースは現用回線（Ｗｏｒｋ）と予備回線（Ｐｒｏｔｅｃｔｉｏｎ）の冗長構成をしており、現用回線に異常が発生した場合に予備回線に切り替えて信号を救済する。
【０００７】
ＳＯＮＥＴ伝送システムの冗長切替動作は以下の通りである。図２における現用回線側で回線断が発生した場合の予備回線側への切り替え動作を、図３のタイムチャートで説明する。図２、図３における（Ａ）はネットワーク側の現用回線の状態を示し、（Ｂ）はネットワーク側の現用回線のアラーム検出結果を示す。（Ｃ）はネットワーク側の現用回線／予備回線の選択信号を示し、（Ｄ）は選択された回線の状態を示す。（Ｅ）は上位レイヤに異常を通知するＡＩＳ（ＡｌａｒｍＩｎｄｉｃａｔｉｏｎＳｉｇｎａｌ）信号の切替信号を示し、（Ｆ）はクライアント側インタフェースの出力信号を示す。
【０００８】
図３における、時刻Ｔ１にネットワーク側の現用回線に回線断が発生し、時刻Ｔ２にネットワーク側のＳＯＮＥＴフレーム同期回路６で回線断アラームが検出される。また、時刻Ｔ３に回線断アラームによる現用回線／予備回線の切り替えが実施される。
【０００９】
冗長切替動作に要する時間は、以下の通りである。回線断アラーム検出時間（Ｔ１〜Ｔ２）は約１［ｍｓｅｃ］以下である。切替制御時間（Ｔ２〜Ｔ３）は約４０［ｍｓｅｃ］以下である。上記の冗長切替動作によりネットワークシステム要求の切替時間５０［ｍｓｅｃ］以下を実現している。
【００１０】
ＳＯＮＥＴ伝送システムは、ネットワーク全体を同期クロックでシステム構成しており、装置内の各信号処理部においても全て同期クロックで処理を行っている。これに対し、ＯＴＮ伝送システムは、ＳＯＮＥＴ伝送システムの上位レイヤに適用され、ＷＤＭシステムにおける伝送路と同等の位置付けであり、クライアントインタフェースからの信号をトランスペアレントに伝送する必要がある。また、クライアントインタフェースは、ＳＯＮＥＴ／ＳＤＨインタフェースの他に、イーサネット（登録商標）やファイバーチャネル等の様々な伝送速度のクライアント信号を伝送する必要がある。このため、クライアント信号とネットワーク信号は非同期で処理することになり、クライアントインタフェースからの信号をネットワーク信号に送信する場合には、信号の周波数成分も情報として送信し、受信側では受信した周波数成分からクライアントインタフェース信号を再生する。
【００１１】
図４にＯＴＮ伝送システムの一例のネットワーク構成図を示す。図１において、伝送装置１１Ａ，１１Ｂ，１１Ｃ，１１Ｄはリングネットワークを構成し、実線で示すように時計方向に信号を伝送する現用回線（Ｗｏｒｋ）と、破線で示すように反時計方向信号を伝送する予備回線（Ｐｒｏｔｅｃｔｉｏｎ）の冗長構成である。伝送装置１１Ａ，１１Ｂ，１１Ｃ，１１Ｄそれぞれは非同期で動作する。
【００１２】
図５にＯＴＮ伝送システムの伝送装置の一例の構成図を示す。図５において、クライアント伝送路からのクライアント信号は光／電気変換器（Ｏ／Ｅ）２１で電気信号に変換され、クライアントインタフェース２２でクライアントクロックを抽出された後、ＯＤＵフレーム生成スタッフ生成回路２３に供給される。ＯＤＵフレーム生成スタッフ生成回路２３はクライアント信号をＯＤＵｋフレームにマッピングする。この際に、クライアント信号の周波数調整情報としてのスタッフ情報であるＪＣバイトがＯＤＵｋフレームのオーバーヘッドに付加され、クライアント信号の時間軸変動を吸収するためのスタッフバイトがＯＤＵｋフレームのペイロード領域又はオーバーヘッド領域に挿入される。
【００１３】
ＯＤＵフレーム生成スタッフ生成回路２３が出力するＯＤＵｋフレームは内部フレーム生成スタッフ生成回路２４で内部フレームにマッピングされる。この内部フレームは図示しないクロスコネクト部や多重分離部を経て、内部フレーム同期スタッフ終端回路２５で終端されＯＤＵｋフレームとされる。なお、クロック生成回路２６はシステムクロックを生成してＯＤＵフレーム生成スタッフ生成回路２３、内部フレーム生成スタッフ生成回路２４、内部フレーム同期スタッフ終端回路２５等に供給している。
【００１４】
このＯＤＵｋフレームは現用回線及び予備回線それぞれのＯＴＵフレーム生成回路２７Ａ，２７Ｂでオーバーヘッド及びＦＥＣ（Ｆｏｒｗａｒｄ  Ｅｒｒｏｒ  Ｃｏｒｒｅｃｔｉｏｎ）を付加してＯＴＵｋフレームとされる。これらのＯＴＵｋフレームは電気／光変換器（Ｅ／Ｏ）２８Ａ，２８Ｂで光信号に変換されＯＴＮネットワークに送出される。
【００１５】
ＯＴＮネットワークの現用回線からのＯＴＵ信号は光／電気変換器３１Ａで電気信号に変換され、ＯＴＵフレーム同期回路３２Ａで終端されてＯＤＵｋフレームとされセレクタ（ＳＥＬ）３５に供給される。クロック生成回路３３ＡはＯＴＵ信号から抽出したネットワーククロックに同期したクロックを生成してＯＴＵフレーム同期回路３２Ａ、後述の内部フレーム生成スタッフ生成回路３６等に供給している。また、ＯＴＮネットワークの予備回線からのＯＴＵ信号は光／電気変換器３１Ｂで電気信号に変換され、ＯＴＵフレーム同期回路３２Ｂで終端されてＯＤＵｋフレームとされセレクタ３５に供給される。
【００１６】
セレクタ３５で選択されたＯＤＵｋフレームは内部フレーム生成スタッフ生成回路３６で内部フレームにマッピングされる。この際に、ネットワークにおけるＯＴＵｋフレームの時間軸変動を吸収するためのスタッフが生成され内部フレームに挿入される。この内部フレームは図示しないクロスコネクト部や多重分離部を経て、内部フレーム同期スタッフ終端回路３７で終端されＯＤＵｋフレームとされる。
【００１７】
このＯＤＵｋフレームはＯＤＵフレーム同期スタッフ終端回路３８に供給され、ＯＤＵｋフレームから抽出されたデータと、クロックと、ライトイネーブル信号がクロック乗換メモリ３９に供給されて、ＯＤＵｋフレームのペイロード領域のデータつまりクライアント信号のデータがクロック乗換メモリ３９に書き込まれる。なお、クロック生成回路２６からのシステムクロックが内部フレーム生成スタッフ生成回路３６、内部フレーム同期スタッフ終端回路３７、ＯＤＵフレーム同期スタッフ終端回路３８、クロック乗換メモリ３９に供給されている。
【００１８】
ＯＤＵフレーム同期スタッフ終端回路３８はＯＤＵｋフレームのオーバーヘッドから抽出したスタッフ情報（ＪＣバイト）を基にスタッフバイトの挿入位置を特定して、オーバーヘッド領域及びスタッフバイトの書き込みを禁止して、ペイロード領域のデータ部分のみの書き込みを指示するライトイネーブル信号を生成している。このため、ＯＤＵフレーム同期スタッフ終端回路３８の出力するライトイネーブル信号は送信側の伝送装置におけるクライアント信号の伝送レートつまりスタッフ情報に応じたものとなる。また、ＯＤＵフレーム同期スタッフ終端回路３８は上記スタッフ情報をスタッフ情報メモリ５３に供給する。
【００１９】
また、ＯＤＵフレーム同期スタッフ終端回路３８の出力するライトイネーブル信号はＰＬＬ（Ｐｈａｓｅ  ｌｏｃｋｅｄ  ｌｏｏｐ）４０に供給され、ＰＬＬ４０はライトイネーブル信号に同期し、かつ、クライアント信号の伝送レートを平滑化したクロックを生成してリードクロックとしてクロック乗換メモリ３９に供給すると共に、クライアント送信インタフェース４１に供給する。
【００２０】
これにより、クロック乗換メモリ３９からクライアント信号のデータが読み出されクライアント送信インタフェース４１からクライアント信号として出力される。このクライアント信号はセレクタ４２を介し電気／光変換器４３で光信号に変換されクライアント伝送路に送出される。
【００２１】
現用回線又は予備回線の光／電気変換器３１Ａ又は３１Ｂと、ＯＴＵフレーム同期回路３２Ａ，３２Ｂで検出された信号断等のアラーム信号はオア回路３４Ａ又は３４Ｂを通してスイッチ制御回路（ＳＷ  ＣＯＮＴ）４５に供給される。スイッチ制御回路４５の制御でセレクタ３５はＯＴＵフレーム同期回路３２Ａ，３２Ｂそれぞれの出力信号のいずれかの一方を選択して内部フレーム生成スタッフ生成回路３６に供給し、セレクタ４２はクライアント送信インタフェース４１の出力するクライアント信号と、ＡＩＳ発生回路４４が発生するＡＩＳ（Ａｌａｒｍ  Ｉｎｄｉｃａｔｉｏｎ  Ｓｉｇｎａｌ）信号のいずれかの一方を選択して電気／光変換器４３に供給する。
【００２２】
ＯＴＮ伝送システムの冗長切替動作は以下の通りである。図５における現用回線側で回線断が発生した場合の予備回線側への切り替え動作を、図６のタイムチャートで説明する。図５、図６における（Ａ）はネットワーク側の現用回線の状態を示し、（Ｂ）はネットワーク側の現用回線のアラーム検出結果を示す。（Ｃ）はネットワーク側の現用回線／予備回線を選択するためにスイッチ制御回路４５が出力する第１制御信号を示し、（Ｄ）は選択された回線の状態を示す。（Ｅ）は上位レイヤに異常を通知するＡＩＳ信号を出力するためにスイッチ制御回路４５が出力する第２制御信号を示し、（Ｆ）はクライアント側インタフェースの出力信号を示し、（Ｇ）はＰＬＬ動作を示す。
【００２３】
図６における、時刻Ｔ１１にネットワーク側の現用回線に回線断が発生し、時刻Ｔ１２にネットワーク側のＯＴＵフレーム同期回路３２Ａで回線断アラームが検出される。また、時刻Ｔ１３にスイッチ制御回路４５による現用回線／予備回線の切り替えが実施される。時刻Ｔ１４にＰＬＬ４０のクロック引込みが完了する。
【００２４】
冗長切替動作に要する時間は、以下の通りである。回線断アラーム検出時間（Ｔ１１〜Ｔ１２）は約１［ｍｓｅｃ］以下である。切替制御時間（Ｔ１２〜Ｔ１３）は約４０［ｍｓｅｃ］以下である。ＰＬＬ４０の引込時間（Ｔ１３〜Ｔ１４）は約３［ｓｅｃ］以下である。上記の冗長切替動作は、最大で約３［ｓｅｃ］となってしまう。このように、ＰＬＬ４０の引込時間（Ｔ１３〜Ｔ１４）が長くなるのは、切替制御時間（Ｔ１２〜Ｔ１３）においてＰＬＬ４０が同期外れになるためである。
【００２５】
ところで、予備回線には、通常状態で入力信号ｂ１〜Ｎのうち一番高い周波数と一番低い周波数の中間値の周波数の監視用パイロット信号ａを送信しておき、特定の現用回線ｃが劣化した場合、当該回線ｃの復調器から切替信号が受端切替制御器に送出され、受端切替制御器は送端切替制御器に送端切替信号を送信し、送端切替制御器はパイロット信号ａの周波数を劣化した現用回線ｃの信号周波数と一致させてから当該回線の入力信号を予備回線にも分配して無線伝送し、復調器はパイロット信号ａから入力信号ｂ１に切り替わっても周波数は同一のため復調器内ＰＬＬ回路のクロック同期ははずれることなく、また、受端切替制御器からの信号により無瞬断切替器の切替は確実に実施できる技術が提案されている（例えば特許文献１参照）。
【先行技術文献】
【特許文献】
【００２６】
【特許文献１】特開平１０−２８５０８１号公報
【発明の概要】
【発明が解決しようとする課題】
【００２７】
ＯＴＮ伝送システムはＳＯＮＥＴ伝送システムの上位レイヤであるため、冗長構成における切替時間はＳＯＮＥＴ伝送システムと同様に、５０［ｍｓｅｃ］以下で実現する必要がある。このため、ＰＬＬの引込時間を削減することが必要となる。ＰＬＬの特性として、引込時間と出力ジッタと関係にはトレードオフの関係にあり、引込時間を削減すると出力ジッタは増加する。
【００２８】
ＯＴＮ伝送システムは多種多様なクライアント信号を多重分離するため、多重分離する際に、クライアント信号とＯＴＮ伝送システムの周波数成分を余剰信号の挿入／抜去（スタッフ処理）を行うため、ＰＬＬの特性にはジッタ抑圧特性が要求され、引込時間が長くなってしまう。このジッタ抑圧特性により、ＰＬＬのカットオフ周波数を１［Ｈｚ］以下にする必要があり、引込時間は約３［ｓｅｃ］となってしまい、５０［ｍｓｅｃ］以下の切替時間を実現できないという問題があった。
【００２９】
開示の伝送装置は、位相同期回路の引込時間を短縮することを目的とする。
【課題を解決するための手段】
【００３０】
開示の一実施形態による伝送装置は、クライアント信号がマッピングされた信号転送用フレームをネットワークから受信して、受信した前記信号転送用フレームから前記クライアント信号を分離し、前記信号転送用フレームに含まれている前記クライアント信号の周波数調整情報に基づいて位相同期回路で生成したクロックを使用して、分離した前記クライアント信号をクライアント伝送路に送出する伝送装置において、
前記ネットワークから前記信号転送用フレームを受信できる場合に、前記信号転送用フレームに含まれている前記周波数調整情報を保持するメモリと、
前記ネットワークから前記信号転送用フレームを受信できない場合に、前記メモリに保持されている前記周波数調整情報を用いて前記位相同期回路にクロックを生成させる切替制御回路と、を有し、
前記メモリは、複数の前記信号転送用フレームそれぞれに含まれている複数の前記周波数調整情報を受信した順に保持し、
前記切替制御回路は、前記メモリに保持されている複数の前記周波数調整情報のうち所定時間範囲の周波数調整情報を繰り返し読み出して前記位相同期回路にクロックを生成させ、
更に、前記信号転送用フレームを前記ネットワークの現用回線と予備回線から受信する受信回路を有し、
前記メモリは、前記ネットワークの現用回線から前記信号転送用フレームを受信できる場合に、前記信号転送用フレームに含まれている前記周波数調整情報を保持し、
前記切替制御回路は、前記ネットワークの現用回線から前記信号転送用フレームを受信できない場合に、前記メモリに保持されている前記周波数調整情報を用いて前記位相同期回路にクロックを生成させ、その後、前記ネットワークの予備回線から受信した信号転送用フレームに含まれている周波数調整情報に基づいて前記位相同期回路にクロックを生成させ、
更に、前記ネットワークから受信した信号転送用フレームを、前記ネットワークにおける信号転送用フレームの周波数調整情報を付加して装置の内部フレームにマッピングするマッピング回路と、
前記内部フレームから分離した前記信号転送用フレームより前記クライアント信号を分離する分離回路と、
を有し、
前記メモリは、前記ネットワークから前記信号転送用フレームを受信できる場合に、複数の前記内部フレームそれぞれに含まれている複数の前記信号転送用フレームの周波数調整情報と、複数の前記信号転送用フレームそれぞれに含まれている複数の前記クライアント信号の周波数調整情報とを受信した順に保持し、
前記切替制御回路は、前記ネットワークから前記信号転送用フレームを受信できない場合に、前記メモリに保持されている前記信号転送用フレームの周波数調整情報を用いて、前記メモリに保持されている前記クライアント信号の周波数調整情報を含む前記信号転送用フレームを生成し、生成した前記信号転送用フレームに含まれる前記クライアント信号の周波数調整情報を用いて前記位相同期回路にクロックを生成させる。
【発明の効果】
【００３１】
本実施形態によれば、位相同期回路の引込時間を短縮することができる。
【図面の簡単な説明】
【００３２】
【図１】ＳＯＮＥＴ伝送システムの一例のネットワーク構成図である。
【図２】ＳＯＮＥＴ伝送システムの伝送装置の一例の構成図である。
【図３】予備回線側への切り替え動作のタイムチャートである。
【図４】ＯＴＮ伝送システムの一例のネットワーク構成図である。
【図５】ＯＴＮ伝送システムの伝送装置の一例の構成図である。
【図６】予備回線側への切り替え動作のタイムチャートである。
【図７】ＯＴＮ伝送システムの伝送装置の一実施形態の構成図である。
【図８】予備回線側への切り替え動作のタイムチャートである。
【図９】ＯＴＵｋフレームフォーマットを示す図である。
【図１０】通常時の内部フレームの様子を示す図である。
【図１１】通常時のＯＴＵｋフレームの様子を示す図である。
【図１２】通常時のクロック乗換メモリ動作のタイムチャートである。
【図１３】異常時の内部フレームの様子を示す図である。
【図１４】異常時のＯＴＵｋフレームの様子を示す図である。
【図１５】異常時のクロック乗換メモリ動作のタイムチャートである。
【図１６】切り替え時のクロック乗換メモリ動作のタイムチャートである。
【図１７】現用／予備切り替えのフローチャートである。
【図１８】スタッフ情報メモリの様子を示す図である。
【発明を実施するための形態】
【００３３】
以下、図面に基づいて実施形態を説明する。
【００３４】
＜ＯＴＮ伝送システムの伝送装置＞
図７にＯＴＮ伝送システムの伝送装置の一実施形態の構成図を示す。図７に示す伝送装置は、例えば図４にＯＴＮ伝送システムの伝送装置１１Ａ，１１Ｂ，１１Ｃ，１１Ｄとして用いられる。図７において、図５と同一部分には同一符号を付す。
【００３５】
図７において、クライアント伝送路からのクライアント信号は光／電気変換器（Ｏ／Ｅ）２１で電気信号に変換され、クライアントインタフェース２２でクライアントクロックを抽出された後、ＯＤＵフレーム生成スタッフ生成回路２３に供給される。ＯＤＵフレーム生成スタッフ生成回路２３はクライアント信号をＯＤＵｋフレームにマッピングする。この際に、クライアント信号の周波数調整情報であるスタッフ情報としてのＪＣ（Ｊｕｓｔｉｆｉｃａｔｉｏｎ  Ｃｏｎｔｒｏｌ）バイトがＯＤＵｋフレームのオーバーヘッドに付加され、上記ＪＣバイトに応じてクライアント信号の時間軸変動を吸収するためのスタッフバイトがＯＤＵｋフレームのペイロード領域又はオーバーヘッド領域に挿入される。
【００３６】
ここで、周波数調整方式には非同期マッピング方式（ＡＭＰ：Ａｓｙｎｃｈｒｏｎｏｕｓ  Ｍａｐｐｉｎｇ  Ｐｒｏｃｅｄｕｒｅ）と、一般化マッピング方式（ＧＭＰ：Ｇｅｎｅｒａｌｉｚｅｄ  Ｍａｐｐｉｎｇ  Ｐｒｏｃｅｄｕｒｅ）がある。
【００３７】
ＡＭＰ方式ではＯＰＵｋオーバーヘッドの３バイトのＪＣバイトとＮＪＯ（Ｎｅｇａｔｉｖｅ  Ｊｕｓｔｉｆｉｃａｔｉｏｎ  Ｏｐｐｏｒｔｕｎｉｔｙ）バイト、及び、ＯＰＵｋペイロード部のＰＪＯ（Ｐｏｓｉｔｉｖｅ  Ｊｕｓｔｉｆｉｃａｔｉｏｎ  Ｏｐｐｏｒｔｕｎｉｔｙ）バイトを使用し、ＪＣバイト情報に応じてＮＪＯバイトとＰＪＯバイトにデータ又はスタッフバイト（ゼロ）が挿入（スタッフ）される。つまり、スタッフバイトを挿入するスタッフ位置は固定位置である。ＧＭＰ方式ではＯＰＵｋオーバーヘッドの６バイトのＪＣバイト情報に応じて、ＯＰＵｋペイロード部にスタッフバイトが平均的に挿入される。なお、ＡＭＰ方式とＧＭＰ方式のＪＣバイト情報については後述する図９に示している。
【００３８】
ＯＤＵフレーム生成スタッフ生成回路２３が出力するＯＤＵｋフレームは内部フレーム生成スタッフ生成回路２４で内部フレームにマッピングされる。内部フレームではオーバーヘッド領域に周波数調整情報としてのＪＣバイトが付加され、ペイロード部にＧＭＰ方式でスタッフバイトが挿入される。この内部フレームは図示しないクロスコネクト部や多重分離部を経て、内部フレーム同期スタッフ終端回路２５で終端されＯＤＵｋフレームとされる。なお、クロック生成回路２６はシステムクロックを生成してＯＤＵフレーム生成スタッフ生成回路２３、内部フレーム生成スタッフ生成回路２４、内部フレーム同期スタッフ終端回路２５等に供給している。
【００３９】
このＯＤＵｋフレームは現用回線及び予備回線それぞれのＯＴＵフレーム生成回路２７Ａ，２７Ｂでオーバーヘッド及びＦＥＣ（Ｆｏｒｗａｒｄ  Ｅｒｒｏｒ  Ｃｏｒｒｅｃｔｉｏｎ）を付加してＯＴＵｋフレームとされる。これらのＯＴＵｋフレームは電気／光変換器（Ｅ／Ｏ）２８Ａ，２８Ｂで光信号に変換されＯＴＮネットワークに送出される。
【００４０】
ＯＴＮネットワークの現用回線からのＯＴＵ信号は光／電気変換器３１Ａで電気信号に変換され、ＯＴＵフレーム同期回路３２Ａで終端されてＯＤＵｋフレームとされセレクタ３５に供給される。クロック生成回路３３ＡはＯＴＵ信号から抽出したネットワーククロックに同期したクロックを生成してＯＴＵフレーム同期回路３２Ａ、後述の内部フレーム生成スタッフ生成回路３６等に供給している。また、ＯＴＮネットワークの予備回線からのＯＴＵ信号は光／電気変換器３１Ｂで電気信号に変換され、ＯＴＵフレーム同期回路３２Ｂで終端されてＯＤＵｋフレームとされセレクタ３５に供給される。
【００４１】
セレクタ３５で選択されたＯＤＵｋフレームは内部フレーム生成スタッフ生成回路３６で内部フレームにマッピングされる。この際に、ＯＴＮネットワークにおけるＯＴＵｋフレームの時間軸変動を吸収するためのスタッフバイトが生成され内部フレームに挿入される。内部フレームではオーバーヘッド領域に周波数調整情報としてのＪＣバイトが付加され、ペイロード部にＧＭＰ方式でスタッフバイトが挿入される。この内部フレームはセレクタ５１を通し、図示しないクロスコネクト部や多重分離部を経て、内部フレーム同期スタッフ終端回路３７で終端されＯＤＵｋフレームとされる。また、内部フレーム生成スタッフ生成回路３６は上記のスタッフ情報をスタッフ情報メモリ５２に供給する。
【００４２】
内部フレーム同期スタッフ終端回路３７の出力するＯＤＵｋフレームはＯＤＵフレーム同期スタッフ終端回路３８に供給される。ＯＤＵフレーム同期スタッフ終端回路３８はＯＤＵｋフレームを終端して、ＯＤＵｋフレームのペイロード領域のデータと、クロックと、ライトイネーブル信号をクロック乗換メモリ３９に供給する。これにより、ＯＤＵｋフレームのペイロード領域のデータつまりクライアント信号のデータがクロック乗換メモリ３９に書き込まれる。
【００４３】
なお、クロック生成回路２６からのシステムクロックが内部フレーム生成スタッフ生成回路３６、内部フレーム同期スタッフ終端回路３７、ＯＤＵフレーム同期スタッフ終端回路３８、クロック乗換メモリ３９に供給されている。
【００４４】
ＯＤＵフレーム同期スタッフ終端回路３８はＯＤＵｋフレームのオーバーヘッドから抽出したスタッフ情報（ＪＣバイト）を基にスタッフバイトの挿入位置を特定して、オーバーヘッド領域及びスタッフバイトの書き込みを禁止して、ペイロード領域のデータ部分のみの書き込みを指示するライトイネーブル信号を生成している。このため、ＯＤＵフレーム同期スタッフ終端回路３８の出力するライトイネーブル信号は送信側の伝送装置におけるクライアント信号の伝送レートつまりスタッフ情報に応じたものとなる。また、ＯＤＵフレーム同期スタッフ終端回路３８は上記スタッフ情報をスタッフ情報メモリ５３に供給する。
【００４５】
また、ＯＤＵフレーム同期スタッフ終端回路３８の出力するライトイネーブル信号はＰＬＬ４０に供給され、ＰＬＬ４０はライトイネーブル信号に同期し、かつ、クライアント信号の伝送レートを平滑化したクロックを生成してリードクロックとしてクロック乗換メモリ３９に供給すると共に、クライアント送信インタフェース４１に供給する。
【００４６】
これにより、クロック乗換メモリ３９からクライアント信号のデータが読み出されクライアント送信インタフェース４１からクライアント信号として出力される。このクライアント信号はセレクタ４２を介し電気／光変換器４３で光信号に変換されクライアント伝送路に送出される。
【００４７】
現用回線又は予備回線の光／電気変換器３１Ａ又は３１Ｂと、ＯＴＵフレーム同期回路３２Ａ，３２Ｂで検出されたアラーム信号はオア回路３４Ａ又は３４Ｂを通してスイッチ制御回路（ＳＷ  ＣＯＮＴ）４５に供給される。なお、ＯＴＵフレーム同期回路３２Ａ，３２ＢはＯＤＵｋフレームが例えば５フレーム連続してフレームパターンが不一致のときアラーム検出を行う。
【００４８】
セレクタ３５はスイッチ制御回路４５からの第１制御信号によりＯＴＵフレーム同期回路３２Ａ，３２Ｂそれぞれの出力信号のいずれか一方を選択して内部フレーム生成スタッフ生成回路３６に供給する。セレクタ４２はスイッチ制御回路４５からの第２制御信号によりクライアント送信インタフェース４１の出力するクライアント信号と、ＡＩＳ発生回路４４が発生するＡＩＳ（Ａｌａｒｍ  Ｉｎｄｉｃａｔｉｏｎ  Ｓｉｇｎａｌ）信号のいずれかの一方を選択して電気／光変換器４３に供給する。
【００４９】
通常時にはスイッチ制御回路４５の第２制御信号によりスタッフ情報メモリ５２に内部フレーム生成スタッフ生成回路３６からのスタッフ情報αが書き込まれ、スタッフ情報メモリ５３にＯＤＵフレーム同期スタッフ終端回路３８からのスタッフ情報βが書き込まれる。
【００５０】
また、異常時にはスタッフ制御回路５４からの第２制御信号によりスタッフ制御回路５４はスタッフ情報メモリ５２から正常時に格納されたスタッフ情報αを読み出して内部フレーム生成スタッフ生成回路５５に供給する。また、スタッフ制御回路５６はスタッフ情報メモリ５３から正常時に格納されたスタッフ情報βを読み出してＯＤＵ．ＡＩＳ生成回路５７に供給する。これにより、ＯＤＵ．ＡＩＳ生成回路５７はスタッフ情報βをオーバーヘッドに含み、ペイロード領域を全‘１’とした異常通知用ＯＤＵｋフレームを生成して内部フレーム生成スタッフ生成回路５５に供給する。内部フレーム生成スタッフ生成回路５５は異常通知用ＯＤＵｋフレームを内部フレームにマッピングして異常通知用内部フレームを生成する。この際に、スタッフ情報αに応じたスタッフバイトが生成され異常通知用内部フレームのペイロード領域に挿入される。
【００５１】
異常時にはセレクタ５１は第２制御信号により内部フレーム生成スタッフ生成回路５５からの異常通知用内部フレームを選択して内部フレーム同期スタッフ終端回路３７に供給し、内部フレーム同期スタッフ終端回路３７は異常通知用内部フレームを終端して異常通知用ＯＤＵｋフレームとし、この異常通知用ＯＤＵｋフレームをＯＤＵフレーム同期スタッフ終端回路３８に供給する。
【００５２】
ＯＤＵフレーム同期スタッフ終端回路３８は異常通知用ＯＤＵｋフレームを終端して、ペイロード領域のデータ（全‘１’）と、クロックと、ライトイネーブル信号をクロック乗換メモリ３９に供給し、上記ライトイネーブル信号をＰＬＬ４０に供給する。ライトイネーブル信号は異常通知用ＯＤＵｋフレームのスタッフ情報βに応じたものとなる。これにより、ＰＬＬ４０は同期状態を継続する。
【００５３】
この後、第１、第２制御信号でセレクタ３５が予備回線からのＯＤＵｋフレームを選択し、セレクタ５１が内部フレーム同期スタッフ終端回路３７からのＯＤＵｋフレームを選択するように切り替える。このとき、ＰＬＬ４０は予備回線からのＯＤＵｋフレームから抽出したスタッフ情報に基づくライトイネーブル信号に同期する。この場合の同期は、同期外れからの引込みではないため、速やかに行われる。なお、セレクタ４２は第２制御信号によりＡＩＳ発生回路４４が発生するＡＩＳ信号を選択して電気／光変換器４３からクライアント伝送路に送出する。
【００５４】
ＯＴＮ伝送システムの冗長切替動作は以下の通りである。図７における現用回線側で回線断が発生した場合の予備回線側への切り替え動作を、図８のタイムチャートで説明する。図７、図８における（Ａ）はネットワーク側の現用回線の状態を示し、（Ｂ）はネットワーク側の現用回線のアラーム検出結果を示す。（Ｃ）はネットワーク側の現用回線／予備回線を選択するためにスイッチ制御回路４５が出力する第１制御信号を示し、（Ｄ）は選択された回線の状態を示す。（Ｅ）は上位レイヤに異常を通知するＡＩＳ信号を出力するためにスイッチ制御回路４５が出力する第２制御信号を示し、（Ｆ）はクライアント側インタフェースの出力信号を示し、（Ｇ）はＰＬＬ動作を示す。
【００５５】
図８における、時刻Ｔ２１にネットワーク側の現用回線に回線断が発生し、時刻Ｔ２２にネットワーク側のＯＴＵフレーム同期回路３２Ａで回線断アラームが検出される。また、時刻Ｔ２３にスイッチ制御回路４５による現用回線／予備回線の切り替えが実施される。
【００５６】
冗長切替動作に要する時間は、以下の通りである。回線断アラーム検出時間（Ｔ２１〜Ｔ２２）は約１［ｍｓｅｃ］以下である。切替制御時間（Ｔ２２〜Ｔ２３）は約４０［ｍｓｅｃ］以下である。本実施形態ではＰＬＬ４０が同期外れとならないために、引込時間を大幅に短縮でき、ほとんど必要ないことから、上記の冗長切替動作は、約５０［ｍｓｅｃ］以下となる。
【００５７】
＜ＯＴＵｋフレームフォーマット＞
図９にＯＴＮネットワークにおけるＯＴＵｋフレームフォーマットを示す。ＯＴＮフレームは、オーバーヘッド部、ＯＰＵｋ（Ｏｐｔｉｃａｌ  ｃｈａｎｎｅｌ  Ｐａｙｌｏａｄ  Ｕｎｉｔ  ｋは０又は正の整数）ペイロード部、及び、ＯＴＵｋＦＥＣ（Ｏｐｔｉｃａｌ  ｃｈａｎｎｅｌ  Ｔｒａｎｓｐｏｒｔ  Ｕｎｉｔ  ｋ  Ｆｏｒｗａｒｄ  Ｅｒｒｏｒ  Ｃｏｒｒｅｃｔｉｏｎ）部を含む。
【００５８】
オーバーヘッド部は第１列（ｃｏｌｕｍｎ）〜第１６列の１６バイト×４行（ｒｏｗ）のサイズを有し、ＦＡ（Ｆｒａｍｅ  Ａｌｉｇｎｍｅｎｔ）オーバーヘッド、ＯＴＵｋオーバーヘッド、ＯＤＵｋオーバーヘッド、ＯＰＵｋオーバーヘッドを有しており、接続及び品質の管理に用いられる。ＯＰＵｋペイロード部は、第１７列〜第３８２４列の３８０８バイト×４行のサイズを有する。ＯＴＵｋＦＥＣ部は、第３８２５列〜第４０８０列の２５６バイト×４行のサイズを有し、伝送中に発生した誤りを訂正するために用いられる。
【００５９】
ＦＡオーバーヘッドには６バイトの固定フレームパターンであるＦＡＳ（Ｆｒａｍｅ  Ａｌｉｇｎｍｅｎｔ  Ｓｉｇｎａｌ）と、１バイトのシーケンス番号であるＭＦＡＳ（ＭｕｌｔｉＦｒａｍｅ  Ａｌｉｇｎｍｅｎｔ  Ｓｉｇｎａｌ）が含まれる。
【００６０】
ＯＤＵｊフレームのＨＯ＿ＯＤＵｋへの多重収容は、ＨＯ＿ＯＤＵｋフレームのペイロード部分であるＯＰＵｋ（Ｏｐｔｉｃａｌ  Ｃｈａｎｎｅｌ  Ｐａｙｌｏａｄ  Ｕｎｉｔ  ‘ｋ’）ペイロードエリアをバイト単位でｔｓ個に分割したタイムスロットであるトリビュータリスロット（Ｔｒｉｂｕｔａｒｙ  Ｓｌｏｔ：ＴＳ）を定義し、ＨＯ＿ＯＤＵｋフレームのペイロードエリアの各ＴＳにＯＤＵｊを収容することにより実現している。
【００６１】
＜通常状態＞
図１０に、通常状態でセレクタ５１が選択する内部フレーム生成スタッフ生成回路３６からの内部フレームの様子を示す。内部フレームにおけるオーバーヘッドのハッチングで示す所定位置にスタッフ情報であるＧＭＰ方式のＪＣバイト（例えば６バイト）が格納されている。このスタッフ情報はスタッフ情報メモリ５２に記憶されるスタッフ情報αである。内部フレームのペイロード領域ではデータ（ＤＡＴＡ）の間に、上記スタッフ情報に応じてスタッフバイト（Ｓ）が挿入されている。例えば内部フレームにＯＤＵ０フレームを格納する場合、内部フレームのペイロード領域（例えば１６０００バイト）中に格納するデータ量は１５２３２バイトであり、このデータ量をＪＣバイトに格納している。
【００６２】
図１１に、通常状態で内部フレーム同期スタッフ終端回路３７からＯＤＵフレーム同期スタッフ終端回路３８に供給されるＯＤＵｋフレームの様子を示す。ＯＤＵｋフレームにおけるオーバーヘッドのハッチングで示す第１行〜第３行の第１５列と第１６列にスタッフ情報であるＧＭＰ方式又はＡＭＰ方式のＪＣバイトが格納されている。なお、図１１ではＧＭＰ方式である。このスタッフ情報はスタッフ情報メモリ５３に記憶されるスタッフ情報βである。ＯＤＵｋフレームのペイロード領域ではデータ（ＤＡＴＡ）の間に、上記スタッフ情報に応じてスタッフバイト（Ｓ）が挿入されている。例えばＯＤＵ０フレームに１．２５ＧｂｐｓのギガビットイーサＧｂＥ又は１５５．５２ＭｂｐｓのＯＣ３（Ｏｐｔｉｃａｌ  Ｃａｒｒｉｅｒ−３）を格納する場合、ＯＤＵ０フレームのペイロード領域（１５２３２バイト）中に格納するデータ量は、ＧｂＥで１４４０７バイト、ＯＣ３で１９１２バイトであり、このデータ量をＪＣバイトに格納している。ＯＤＵフレーム同期スタッフ終端回路３８では上記のＪＣバイトに応じてライトイネーブル信号を生成する。
【００６３】
図１２に通常状態のクロック乗換メモリ３９動作のタイムチャートを示す。図１２中、Ｗｒｉｔｅ＿ｄａｔａは内部フレーム同期スタッフ終端回路３７から供給されるＯＤＵｋフレームのペイロード領域のデータであり、Ｗｒｉｔｅ＿Ｅｎａｂｌｅは内部フレーム同期スタッフ終端回路３７からのライトイネーブル信号である。ライトイネーブル信号はハイレベル期間にクロック乗換メモリ３９へのデータの書き込みを指示する。
【００６４】
Ｒｅａｄ＿ＣＬＫは、ＰＬＬ４０にてライトイネーブル信号に同期して平滑化したクロックであり、クライアント信号に同期したクロックである。クロック乗換メモリ３９は上記クロックＲｅａｄ＿ＣＬＫを用いてデータＲｅａｄ＿ｄａｔａを読み出す。
【００６５】
＜ネットワーク側異常発生＞
図１３に、ネットワーク側で異常が発生し、アラーム検出時（Ｔ２２）にセレクタ５１が選択する内部フレーム生成スタッフ生成回路５５からの内部フレームの様子を示す。内部フレームにおけるオーバーヘッドのハッチングで示す所定位置のＪＣバイトには、スタッフ情報メモリ５２から読み出されたスタッフ情報αが格納されている。また、ペイロード領域のデータ（ＤＡＴＡ）は全‘１’である。
【００６６】
図１４に、アラーム検出時に内部フレーム同期スタッフ終端回路３７からＯＤＵフレーム同期スタッフ終端回路３８に供給されるＯＤＵｋフレームの様子を示す。ＯＤＵｋフレームにおけるオーバーヘッドのハッチングで示す第１行〜第３行の第１５列と第１６列のＪＣバイトには、スタッフ情報メモリ５３から読み出されたスタッフ情報βが格納されている。また、ペイロード領域のデータ（ＤＡＴＡ）は全‘１’である。
【００６７】
図１５に、アラーム検出時のクロック乗換メモリ３９動作のタイムチャートを示す。図１５中、Ｗｒｉｔｅ＿ｄａｔａは全‘１’であり、Ｗｒｉｔｅ＿ＥｎａｂｌｅはＯＤＵｋフレームのペイロード領域においてスタッフ情報βに基づいて生成されたものである。Ｒｅａｄ＿ＣＬＫは、ＰＬＬ４０にて上記ライトイネーブル信号に同期して平滑化したクロックであり、クライアント信号に同期したクロックである。つまり、ＰＬＬ４０はアラーム検出時においても同期状態を維持している。クロック乗換メモリ３９から読み出されるデータＲｅａｄ＿ｄａｔａは全‘１’である。
【００６８】
図１６に切り替え時（Ｔ２３）のクロック乗換メモリ３９動作のタイムチャートを示す。図１６中、Ｗｒｉｔｅ＿ｄａｔａは内部フレーム同期スタッフ終端回路３７から供給されるＯＤＵｋフレームのペイロード領域のデータであり、Ｗｒｉｔｅ＿Ｅｎａｂｌｅは内部フレーム同期スタッフ終端回路３７からのライトイネーブル信号である。つまり、ライトイネーブル信号は予備回線からＯＤＵｋフレームのスタッフ情報から生成されたものである。
【００６９】
Ｒｅａｄ＿ＣＬＫは、ＰＬＬ４０にてライトイネーブル信号に同期して平滑化したクロックであり、クライアント信号に同期したクロックである。クロック乗換メモリ３９は上記クロックＲｅａｄ＿ＣＬＫを用いてデータＲｅａｄ＿ｄａｔａを読み出す。
【００７０】
＜フローチャート＞
図１７に現用／予備切り替えのフローチャートを示す。図１７において、ステップＳ１でＯＴＵフレーム同期回路３２Ａ，３２Ｂはアラーム監視を行う。ステップＳ２でスイッチ制御回路４５はアラーム検出がなされたか否かを判別する。
【００７１】
アラーム検出がされていない場合、スイッチ制御回路４５は第１、第２制御信号をローレベルとし、ステップＳ３でスタッフ情報メモリ５２．５３にスタッフ情報α，βを書き込む。その後、ステップＳ１に進む。
【００７２】
一方、アラーム検出がなされると、スイッチ制御回路４５は第２制御信号をハイレベルとし、ステップＳ４で内部フレーム生成スタッフ生成回路５５は異常通知用ＯＤＵｋフレーム（スタッフ情報βを含む）を内部フレームにマッピングして異常通知用内部フレーム（スタッフ情報αを含む）を生成する。また、ステップＳ５でセレクタ４２は第２制御信号によりＡＩＳ発生回路４４からのＡＩＳ信号を選択して出力する。
【００７３】
こののち、ステップＳ６で第２制御信号がローレベルとなって回線切り替えが終了したか否かを判別し、回線切り替えが終了してなければステップＳ４に進み、回線切り替えが終了した場合にはステップＳ１に進む。
【００７４】
＜スタッフ情報メモリ＞
ここで、スタッフ情報α，βを保持するスタッフ情報メモリ５２．５３について説明する。スタッフ情報メモリ５２．５３にはネットワーク側が異常になる前のスタッフ情報α，βを保持する必要がある。このため、スタッフ情報メモリ５２．５３にはアラームを検出する時間以上の間、スタッフ情報を記憶する必要がある。
【００７５】
ＯＴＵフレーム同期外れ検出条件は５フレーム連続フレームパターン不一致であり、アラーム検出時間Ｄ１は、ＯＴＵ１（２．７Ｇｂｐｓ）の場合は２４４．９［μｓｅｃ］（１フレーム＝４８．９７１［μｓｅｃ］×５）であり、ＯＴＵ２（１０．７Ｇｂｐｓ）の場合は６１．０［μｓｅｃ］（１フレーム＝１２．１９１［μｓｅｃ］×５）である。
【００７６】
また、スタッフ情報α，βを蓄積時間Ｄ２分だけ記憶し、スタッフ制御回路５６，５７の制御で蓄積時間Ｄ２分のスタッフ情報α，βを受信した順に繰り返し使用することも可能である。
【００７７】
クライアント信号が中心周波数ｆｃからＺｐｐｍずれている場合、クライアント信号の余剰又は欠損が８ビット蓄積する時間Ｔは、Ｔ＝８／（ｆｃ×Ｚ）となる。この時間Ｔを蓄積時間Ｄ２とする。例えば、クライアント信号がＯＣ４８の場合、ｆｃ＝２．４８８３２ＧＨｚであり、Ｚ＝１０ｐｐｍ，１ｐｐｍでそれぞれ、Ｔ＝０．３２ｍｓ（１０ｐｐｍ）、Ｔ＝３．２ｍｓ（１ｐｐｍ）となる。ネットワーク側の信号異常（アラーム）時に通常時の再生周波数に対して１ｐｐｍの精度でクライアントを再生するためには、３．２ｍｓｅｃ以上の間のスタッフ情報α，βを保持する必要がある。
【００７８】
図１８にスタッフ情報メモリ５２．５３の様子を示す。図１８において、少なくともｎ＋ｍ個のスタッフ情報α１，β１〜αｎ＋ｍ，βｎ＋ｍがスタッフ情報メモリ５２．５３に記憶され、スタッフ情報αｎ＋ｍ，βｎ＋ｍが記憶された時点でネットワーク側信号のアラームが検出された場合、アラーム検出時間Ｄ１だけ遡り、その前の蓄積時間Ｄ２におけるスタッフ情報α１２，β１２〜αｎ，βｎを繰り返し順に読み出して、異常通知用ＯＤＵｋフレーム（スタッフ情報βを含む）を内部フレームにマッピングして異常通知用内部フレーム（スタッフ情報αを含む）を生成する。なお、それぞれ１つのスタッフ情報α１２，β１２を繰り返し読み出して異常通知用ＯＤＵｋフレームを内部フレームにマッピングして異常通知用内部フレームを生成する構成であってもよい。
【００７９】
本実施形態では、従来の伝送装置にセレクタ５１，スタッフ情報メモリ５２，５３，スタッフ制御回路５４，５６，内部フレーム生成スタッフ生成回路５５，ＯＤＵ．ＡＩＳ生成回路５７を追加するだけで実現することができる。
（付記１）
クライアント信号がマッピングされた信号転送用フレームをネットワークから受信して、受信した前記信号転送用フレームから前記クライアント信号を分離し、前記信号転送用フレームに含まれている前記クライアント信号の周波数調整情報に基づいて位相同期回路で生成したクロックを使用して、分離した前記クライアント信号をクライアント伝送路に送出する伝送装置において、
前記ネットワークから前記信号転送用フレームを受信できる場合に、前記信号転送用フレームに含まれている前記周波数調整情報を保持するメモリと、
前記ネットワークから前記信号転送用フレームを受信できない場合に、前記メモリに保持されている前記周波数調整情報を用いて前記位相同期回路にクロックを生成させる切替制御回路と、
を有することを特徴とする伝送装置。
（付記２）
付記１記載の伝送装置において、
前記メモリは、複数の前記信号転送用フレームそれぞれに含まれている複数の前記周波数調整情報を受信した順に保持する
ことを特徴とする伝送装置。
（付記３）
付記２記載の伝送装置において、
前記切替制御回路は、前記メモリに保持されている複数の前記周波数調整情報のうち所定時間範囲の周波数調整情報を繰り返し読み出して前記位相同期回路にクロックを生成させる
ことを特徴とする伝送装置。
（付記４）
付記３記載の伝送装置において、
前記信号転送用フレームを前記ネットワークの現用回線と予備回線から受信する受信回路を有し、
前記メモリは、前記ネットワークの現用回線から前記信号転送用フレームを受信できる場合に、前記信号転送用フレームに含まれている前記周波数調整情報を保持し、
前記切替制御回路は、前記ネットワークの現用回線から前記信号転送用フレームを受信できない場合に、前記メモリに保持されている前記周波数調整情報を用いて前記位相同期回路にクロックを生成させ、その後、前記ネットワークの予備回線から受信した信号転送用フレームに含まれている周波数調整情報に基づいて位相同期回路にクロックを生成させる
ことを特徴とする伝送装置。
（付記５）
クライアント信号がマッピングされた信号転送用フレームをネットワークから受信して、受信した前記信号転送用フレームから前記クライアント信号を分離し、前記信号転送用フレームに含まれている前記クライアント信号の周波数調整情報に基づいて位相同期回路で生成したクロックを使用して、分離した前記クライアント信号をクライアント伝送路に送出する伝送方法において、
前記ネットワークから前記信号転送用フレームを受信できる場合に、前記信号転送用フレームに含まれている前記周波数調整情報をメモリに保持し、
前記ネットワークから前記信号転送用フレームを受信できない場合に、前記メモリに保持されている前記周波数調整情報を用いて前記位相同期回路にクロックを生成させる
ことを特徴とする伝送方法。
（付記６）
付記１記載の伝送方法において、
前記メモリに、複数の前記信号転送用フレームに含まれている複数の前記周波数調整情報を受信した順に保持する
ことを特徴とする伝送方法。
（付記７）
付記６記載の伝送方法において、
前記メモリに保持されている複数の前記周波数調整情報のうち所定時間範囲の周波数調整情報を繰り返し読み出して前記位相同期回路にクロックを生成させる
ことを特徴とする伝送方法。
（付記８）
付記７記載の伝送方法において、
前記信号転送用フレームを前記ネットワークの現用回線と予備回線から受信し、
前記ネットワークの現用回線から前記信号転送用フレームを受信できる場合に、前記信号転送用フレームに含まれている前記周波数調整情報を前記メモリに保持し、
前記ネットワークの現用回線から前記信号転送用フレームを受信できない場合に、前記メモリに保持されている前記周波数調整情報を用いて前記位相同期回路にクロックを生成させ、その後、前記ネットワークの予備回線から受信した前記信号転送用フレームに含まれている周波数調整情報に基づいて位相同期回路にクロックを生成させる
ことを特徴とする伝送方法。
（付記９）
付記４記載の伝送装置において、
前記伝送装置は、前記ネットワークから受信した信号転送用フレームを、前記ネットワークにおける信号転送用フレームの周波数調整情報を付加して装置の内部フレームにマッピングするマッピング回路と、
前記内部フレームから分離した前記信号転送用フレームより前記クライアント信号を分離する分離回路と、
を更に有し、
前記メモリは、前記ネットワークから前記信号転送用フレームを受信できる場合に、複数の前記内部フレームそれぞれに含まれている複数の前記信号転送用フレームの周波数調整情報と、複数の前記信号転送用フレームそれぞれに含まれている複数の前記クライアント信号の周波数調整情報とを受信した順に保持し、
前記切替制御回路は、前記ネットワークから前記信号転送用フレームを受信できない場合に、前記メモリに保持されている前記信号転送用フレームの周波数調整情報を用いて、前記メモリに保持されている前記クライアント信号の周波数調整情報を含む前記信号転送用フレームを生成し、生成した前記信号転送用フレームに含まれる前記クライアント信号の周波数調整情報を用いて前記位相同期回路にクロックを生成させる
ことを特徴とする伝送装置。
（付記１０）
付記８記載の伝送方法において、
前記伝送装置は、前記ネットワークから受信した信号転送用フレームを、前記ネットワークにおける信号転送用フレームの周波数調整情報を付加して装置の内部フレームにマッピングし、前記内部フレームから分離した前記信号転送用フレームより前記クライアント信号を分離し、
前記ネットワークから前記信号転送用フレームを受信できる場合に、複数の前記内部フレームそれぞれに含まれている複数の前記信号転送用フレームの周波数調整情報と、複数の前記信号転送用フレームそれぞれに含まれている複数の前記クライアント信号の周波数調整情報とを受信した順に前記メモリに保持し、
前記ネットワークから前記信号転送用フレームを受信できない場合に、前記メモリに保持されている前記信号転送用フレームの周波数調整情報を用いて、前記メモリに保持されている前記クライアント信号の周波数調整情報を含む前記信号転送用フレームを生成し、生成した前記信号転送用フレームに含まれる前記クライアント信号の周波数調整情報を用いて前記位相同期回路にクロックを生成させる
ことを特徴とする伝送方法。
【符号の説明】
【００８０】
２１，３１Ａ，３１Ｂ  光／電気変換器
２２  クライアントインタフェース
２３  ＯＤＵフレーム生成スタッフ生成回路
２４，３６，５５  内部フレーム生成スタッフ生成回路
２５，３７  内部フレーム同期スタッフ終端回路
２６，３３Ａ  クロック生成回路
２７Ａ，２７Ｂ  ＯＴＵフレーム生成回路
２８Ａ，２８Ｂ  電気／光変換器
３２Ａ，３２Ｂ  ＯＴＵフレーム同期回路
３５，４２，５１  セレクタ
３８  ＯＤＵフレーム同期スタッフ終端回路
３９  クロック乗換メモリ
４０  ＰＬＬ
４１  クライアント送信インタフェース
５２，５３  スタッフ情報メモリ
５４，５６  スタッフ制御回路
５７  ＯＤＵ．ＡＩＳ生成回路
【図１】
0005699759.tif 000002
【図２】
0005699759.tif 000003
【図３】
0005699759.tif 000004
【図４】
0005699759.tif 000005
【図５】
0005699759.tif 000006
【図６】
0005699759.tif 000007
【図７】
0005699759.tif 000008
【図８】
0005699759.tif 000009
【図９】
0005699759.tif 000010
【図１０】
0005699759.tif 000011
【図１１】
0005699759.tif 000012
【図１２】
0005699759.tif 000013
【図１３】
0005699759.tif 000014
【図１４】
0005699759.tif 000015
【図１５】
0005699759.tif 000016
【図１６】
0005699759.tif 000017
【図１７】
0005699759.tif 000018
【図１８】
0005699759.tif 000019